Podtech/llm-jp-corpus-v4-ja_patent huggingface dataset:
(57)【要約】      （修正有）【課題】ペーパークイリングというクラフトペーパーに於ける部品をそれぞれ作成する際に、きれいな正三角を作る事が出来るクイリング定規を提供する。【解決手段】内部に少なくとも１個の半径ｒのくり抜きと、周縁部に少なくとも１個の１辺２πｒ／３で狭角６０°の三角の切り欠き部とを有する事を特徴とする。【選択図】図１
0003154519.tif 000002
【実用新案登録請求の範囲】
【請求項１】
内部に少なくとも１個の半径ｒのくり抜き円と、周縁部に少なくとも１個の一辺２πｒ／３で狭角６０°の三角の切り欠き部とを有する事を特徴するクイリング定規。
【請求項２】
ｒがそれぞれ３ｍｍ、３．７５ｍｍ、４．２５ｍｍ、５ｍｍ、６ｍｍ、及び７．５ｍｍのくり抜き円と、それらと対応したそれぞれの三角切り欠き部とを有する事を特徴とする請求項１記載のクイリング定規。
【考案の詳細な説明】
【技術分野】
【０００１】  本考案はペーパークイリングというクラフトペーパーに於ける部品をそれぞれ作成する際に、きれいな正三角を作る事が出来るクイリング定規に関するものである。。
【背景技術】
【０００２】  円のみを収納するボードは知られている（特許文献１）。
今までペーパークイリングの作品に使用する正三角形の部品を手動で作っていたため、沢山作るのに時間もかかり、正確な正三角形が作れなかった。
また、作っても作品自体が不揃いになり正三角形を使用した作品を作ることは難しかった。
【先行技術文献】
【特許文献】
【０００３】
【特許文献１】  実用新案登録第３１４６９７０号公報
【考案の概要】
【考案が解決しようとしている課題】
【０００４】  従来、ペーパークイリングの作品を作るためにきれいな正三角形を作る事は困難であったため、出来上がった作品そのものに不満があった。
本考案者は正三角形が能率よく、不揃いが解消され、きれいに作れるための課題に取り組んだ。
【課題を解決するための手段】
【０００５】  本考案の目的は、内部に少なくとも１個の半径ｒのくり抜き円と、周縁部に少なくとも１個の一辺２πｒ／３で、狭角６０°の三角切り欠き部とを有する事を特徴とするクイリング定規によって達成される。また、より好ましくは、ｒがそれぞれ３ｍｍ、３．７５ｍｍ、４．２５ｍｍ、５ｍｍ、６ｍｍ、及び７．５ｍｍのくり抜き円とそれらと対応したそれぞれの三角切り欠き部とを有する事を特徴とする上記記載のクイリング定規により達成される。
【図面の簡単な説明】
【０００６】
【図１】本考案の１実施例を示す正面図である。
【図２】本考案の他の実施例を示す正面図である。
【考案を実施するための形態】
【０００７】  ペーパークイリングという作品は通常２ｍｍ幅、３ｍｍ幅、５ｍｍ幅、１０ｍｍ幅の紙を細長く裁断したものを作品に合わせて長さを切り、ピンやツールで巻いて、丸や三角形、四角形等を形成する。それらの出来たパーツをのりでつなぎ合わせて作品を作る。
【０００８】  形成にあたって、それぞれの形を同じような大きさに統一するため、それらを収納する形を抜いた定規が便利であり、その定規の厚さは上記の紙の幅から考え、１ｍｍから５ｍｍ、好ましくは１ｍｍ〜３ｍｍくらいまでの厚さが可能である。余り、薄いと紙が収納出来ず、また、余り定規が厚すぎると上記の紙を収納したときに、奥に入ってしまって取りにくい場合があるため、上記の紙を使用するには２ｍｍ幅の厚さの定規が好ましい。
【０００９】  また、正三角形をきれいに作るために、本考案のクイリング定規には、くり抜き円が必要であり、くり抜き円の大きさはそれぞれの三角切り欠き部と対応している事が必要である。本考案の定規に於いて、三角切り欠き部と、それと対応するくり抜き円とは、少なくとも、一個、それぞれに有するものであるが、くり抜き円の半径ｒのそれぞれに対応して、三角切り欠き部のそれぞれが存在しても良い。またくり抜き円も、同じ大きさのものを数個存在させても良い。以下、より具体的に説明する。
【００１０】  請求項１の内容を図１について具体的に説明すると以下のようになる。
５０ｍｍ×５０ｍｍの２ｍｍ厚さのアクリル板中央に１５ｍｍの円をくり抜き、２πｒ／３の値を一辺とした狭角６０°の角を持った三角の切り欠き部を作る事でクイリング定規の１形態を作成する事が出来る。
請求項２の内容、内部に半径ｒがそれぞれ、３ｍｍ、３．７５ｍｍ、４．２５ｍｍ、５ｍｍ、６ｍｍ、及び７．５ｍｍのくり抜き円と、下部または上部に各くり抜き円に対応した一辺２πｒ／３で挟角６０°の三角きり欠き部とを有するクイリング定規。これを図２について具体的に説明すると以下のようになる。
１５０ｍｍ×５０ｍｍの２ｍｍ厚さのアクリル板に直径６ｍｍ、７．５ｍｍ、８．５ｍｍ、１０ｍｍ、１２ｍｍ、及び１５ｍｍの円をくり抜き、それぞれの円の２πｒ／３を１辺とした挟角６０°の角を持った三角切り欠き部６個を定規に作る事でクイリング定規の他の形態を作成する事が出来る。
【実施例】
【００１１】  以下添付図面１のクイリング定規を用いたクイリングのパーツを作る１方法を説明する。まず始めに、
１．厚さ０．１ｍｍ、幅３ｍｍ、長さ３０ｃｍのテープ状の紙を巻いて、巻いた紙の円状したものを水平に、くり抜き円２へ収納（差し込む）する。
２．収納した紙をピンセットで取り出し、のりで止める，これで円の大きさのロールが出来る（通常ルーズロールという）。
３．このルーズロールの先を一カ所つまんで尖らせる（これをティアドロップまたは水滴という）。
４．ティアドロップの尖らした部分を２ａの挟角に差し込む。
５．次に三角から飛び出した紙を平らなもの（定規のようなもの）で押さえる。この作業を三角の角それぞれ三カ所で行うことにより、きれいな正三角形のパーツを作る事ができる。【００１２】  添付図面２のクイリング定規を用いる場合、くり抜き円６カ所の大きさにより、紙の長さを調節し、上記１の要領で正三角形のパーツを作る事が出来る。
【符号の説明】
【０００１３】  １    クイリング定規
２    直径２ｒのくり抜き円
２ａ  ２のための三角切り欠き部
３    クイリング定規
４    直径６ｍｍのくり抜き円
４ａ  直径６ｍｍ用の三角切り欠き部
５    直径７．５ｍｍのくり抜き円
５ａ  直径７．５ｍｍ用の三角切り欠き部
６    直径８．５ｍｍのくり抜き円
６ａ  直径８．５ｍｍ用の三角切り欠き部
７    直径１０ｍｍの切る抜き円
７ａ  直径１０ｍｍ用の三角切り欠き部
８    直径１２ｍｍのくり抜き円
８ａ  直径１２ｍｍ用の三角切り欠き部
９    直径１５ｍｍの円くり抜き円
９ａ  直径１５ｍｍ用の三角切り欠き部
【図１】
0003154519.tif 000003
【図２】
0003154519.tif 000004
(57)【要約】      （修正有）【課題】自転車のリング錠を施錠時に、スポークにカンヌキの先端が当たりうまく施錠出来ない度にスポークを指や足でずらす必要のない自転車用リング錠を提供する。【解決手段】ベース部材３とベース部材３を覆うカバー部材４を互いに一体に結合して、下端に左右一対の開口部９を向かい合わせに形成した中空体をなす錠本体と、その中空体の中に摺動自在に設置したカンヌキ１が、カバー部材４にあけられたスリット５に沿って施錠ツマミ６を摺動させて該カンヌキ１を施錠位置に掛止して施錠する自転車用リング錠２において、カンヌキ１の先端形状を、矢じり又は円錐形状とした。【選択図】図４
0003154504.tif 000002
【実用新案登録請求の範囲】
【請求項１】
ベース部材（３）とベース部材（３）を覆うカバー部材（４）を互いに一体に結合して、下端に左右一対の開口部（９）を向かい合わせに形成した中空体をなす錠本体と、その中空体の中に摺動自在に設置したカンヌキ（１）が、カバー部材（４）にあけられたスリット（５）に沿って施錠ツマミ（６）を摺動させて該カンヌキ（１）を施錠位置に掛止して施錠する自転車用リング錠（２）において、カンヌキ（１）の先端形状が、矢じり又は円錐形状としたことを特徴とする自転車用リング錠（２）。
【考案の詳細な説明】
【技術分野】
【０００１】  本考案は、自転車のリング錠を施錠時に、スポークにカンヌキの先端が当たりうまく施錠出来ない度にスポークを指や足でずらす必要のない自転車用リング錠に関する。
【背景技術】
【０００２】  従来、自転車用リング錠は、バックフォーク等に取り付けられて、カンヌキを摺動させてスポークの間に通して施錠していた。
【考案の概要】
【考案が解決しようとする課題】
【０００３】  しかしながら、カンヌキの先端が、例えばバックフォーク垂直から見た方向では丸くなっていても、実際にはスポークの軸方向に対してカンヌキの先端に平らな部分が存在するため、施錠時にカンヌキの先端がスポークに、ガツンと当たる事が多く、その度にタイヤを少し浮かす等してスポークを手や足で少しずらして、スポークの隙間にカンヌキの先端が入るようにして施錠していた。【０００４】  又、このカンヌキの先端がスポークに当たる衝撃や無理にカンヌキを押し込む事により、自転車用リング錠のカバー部材とベース部材とが、がたついてしまい、施錠時にカンヌキの先端が、開口部に正確に挿入出来なくなってしまう欠点があった。
【課題を解決するための手段】
【０００５】  上記問題点を解決するために本考案の自転車用リング錠は、ベース部材（３）とベース部材（３）を覆うカバー部材（４）を互いに一体に結合して、下端に左右一対の開口部（９）を向かい合わせに形成した中空体をなす錠本体と、その中空体の中に摺動自在に設置したカンヌキ（１）が、カバー部材（４）にあけられたスリット（５）に沿って施錠ツマミ（６）を摺動させて該カンヌキ（１）を施錠位置に掛止して施錠する自転車用リング錠（２）において、カンヌキ（１）の先端形状が、矢じり又は円錐形状としたことを特徴とする。
【考案の効果】
【０００６】  本考案は、カンヌキの先端形状が矢じり又は円錐形状となっているため、施錠時にカンヌキの先端がスポークに当たってもその形状沿いにスポークが抵抗無く滑り、その結果ストレス無くカンヌキ先端が開口部に挿入されて施錠出来るものとなる。
【図面の簡単な説明】
【０００７】
【図１】本考案の使用状態の一例を示す斜視図である。
【図２】従来の自転車用リング錠における使用状態の一例を示す斜視図である。
【図３】本考案の自転車用リング錠における使用状態の一例を示す斜視図である。
【図４】本考案の自転車用リング錠における使用状態の一例を示す斜視図である。
【考案を実施するための形態】
【０００８】  本考案における自転車用リング錠の大きさ、デザイン、材質、製造方法等は特に限定される事はないが、カンヌキ自体がプレス工程にて成形される場合は、成形後、矢じり形状となるように前もってトリムされていることが好ましい。
【０００９】  カンヌキ自体が金属棒材や線材の場合は、矢じり又は円錐形状となるように部品時に研磨作業等で成形しておくことが好ましい。
【００１０】  カンヌキの先端を、例えば樹脂成形した矢じり又は円錐形状部品として、カンヌキ本体に、はめ込み等の手段で組み込んで形成しても良い。いわゆるキャップをはめ込む形である。以下、実施例と図に基づき説明する。
【実施例】
【００１１】  以下、本考案の一実施例及び従来の一実施例を図１、図２、図３及び図４で説明するがこれによって本考案は、なんら限定されるものではない。【００１２】  図１は本考案の使用状態の一実施例を示し、一体に結合されたベース部材（３）とカバー部材（４）からなる自転車用リング錠（２）において、タイヤ（７）の内側にあるスポーク（８）の間に施錠ツマミ（６）をスリット（５）に沿って摺動させる事で、錠本体の中空体の中に設置したカンヌキ（１）が通っていく状態を示している。【００１３】  図２は従来の自転車用リング錠（２）の使用状態の一実施例を示し、スポーク（８）の軸方向に対してカンヌキ（１）の先端に平らな部分（Ａ）にスポーク（８）が当たり、向かいの開口部（９）に、なかなか挿入出来ない様子を示した図である。【００１４】  図３は本考案の自転車用リング錠（２）の使用状態の一実施例を示し、スポーク（８）の軸方向に対してカンヌキ（１）の先端が、矢じり（Ｂ）の形状となっているため、施錠時にカンヌキ（１）の先端がスポーク（８）に当たっても、矢じり（Ｂ）の形状沿いに抵抗なくスポーク（８）が滑り、向かい側の開口部（９）にストレス無く挿入出来る様子を示した図である。【００１５】  図４は本考案の自転車用リング錠（２）の使用状態の一実施例を示し、カンヌキ（１）の先端がバックフォーク垂直から見ても円錐形状に成形されている様子を示した図である。
【産業上の利用の可能性】
【００１６】  施錠時にカンヌキの先端に平らな部分が存在するため、カンヌキの先端がスポークに当たり、スポークをずらす手間や、この衝撃から自転車用リング錠のカバー部材とベース部材等ががたつくことの無い優れた自転車用リング錠となる。
【符号の説明】
【００１７】１  カンヌキ  ２  自転車用リング錠  ３  ベース部材  ４  カバー部材
５  スリット  ６  施錠ツマミ  ７  タイヤ  ８  スポーク  ９  開口部
Ａ  平らな部分  Ｂ  矢じり
【図１】
0003154504.tif 000003
【図２】
0003154504.tif 000004
【図３】
0003154504.tif 000005
【図４】
0003154504.tif 000006
(57)【要約】      （修正有）【課題】携帯電話機や小型音楽プレーヤーに接続し使用するイヤーヘッドホンにおいて、イヤーヘッドホンをイヤホン部、コード部などに分離し、着脱可能式のパーツ化し、カラーやデザイン、機能を様々用意する事により、自分好みに選択する事や購入する事が可能なオリジナル性と利便性、経済性を持ち合わせた付け替え式イヤーヘッドホンを提供する。【解決手段】携帯電話機や小型音楽プレーヤーに接続し使用するイヤーヘッドホンにおいて、イヤーヘッドホンをイヤホン部、コード部などに分離パーツ化し、それぞれを着脱可能式とするべく、メスコネクタージャック一体型イヤホンとオスコネクタージャックを持つイヤホンコードを製作し、それぞれにカラーやデザイン、機能を持たせ様々な種類を用意することで、各個人が好みのパーツを選択する事が出来、オリジナル性と利便性の高いイヤーヘッドホンを持つことができる。【選択図】図１
0003154506.tif 000002
【実用新案登録請求の範囲】
【請求項１】
携帯電話機や小型音楽プレーヤーなどに接続し使用するイヤーヘッドホンをヘッドホン部、コード部などにパーツ化し、それぞれに着脱可能なコネクタージャックを持つ、付け替えパーツ式イヤーヘッドホン。
【考案の詳細な説明】
【技術分野】
【０００１】  本考案は音声又は音楽を聴く為の、携帯電話機や小型音楽視聴機などのイヤーヘッドホンに関する。
【背景技術】
【０００２】近年、携帯電話機や小型の音楽プレーヤーなどの進化に伴い、携帯電話機自体で音楽を聴いたりすることが可能であり、その為一部のイヤーヘッドホンの売れ行きも好調と聞く。しかしながら市場で販売されているイヤーヘッドホンは各社様々なデザインなどはあるが、遊び心は少なく、機能性ばかりに目が行っており自分好みの機能を持ったパーツやカラーなどを自由に付け替えができるようなイヤーヘッドホンはなかった。
【考案の開示】
【考案が解決しようとする課題】
【０００３】  イヤーヘッドホンの市場では各社デザインを工夫したり、機能性を追求する商品など様々な商品がある。しかしながら遊び心は少なくイヤホン部、コード部、コネクタージャック部などの細かくパーツを分析すると、各社はイヤホン部のみデザインは変えてるものの、他のパーツ部位では何等オリジナル性はない。
本考案はそのパーツをそれぞれ着脱式にして、様々なカラーやデザイン、機能を施し、すべてのパーツを好みで選ぶことが出来て、自分好みのオリジナルイヤホンを作れるようにデザイン性とオリジナル性を考えるものである。
【課題を解決するための手段】
【０００４】  本考案は、上述の課題を解決する為に、携帯電話機や小型の音楽プレーヤーなどのイヤーヘッドホンにおいて、基本構造となるパーツであるイヤホン部、コード部を分離パーツ化し、それぞれを着脱式にする事と、各パーツに様々なカラーやデザイン、機能を施すことで解決できる。
【考案実施の形態】
【０００５】  携帯電話機や小型音楽プレーヤーなどの通話や音楽を聴ける機器に接続し会話や音楽を楽しめるイヤーヘッドホンにおいて、その基本構造である、イヤホン部、コード部を切り離し、着脱式にする為に、例えばメスコネクタージャック一体型のイヤホン部、オスコネクタージャック一体型としたコード部とする事で、各パーツ部の着脱が可能となり、好みのデザインやカラーを気分によって付け替えしたり、自分好みのオリジナルイヤホンにする事が出来る。また破損の際もそのパーツ部だけの購入で済むという利便性、経済性も生まれる。
【実施例】
【０００６】以下、添付図面に従って一実施例を説明する。１はイヤーヘッドホン。２はイヤーヘッドホンとコード部の着脱を可能とするイヤーヘッドホン一体型のメスコネクタージャック部。
３はイヤーヘッドホンと着脱を可能とするコードパーツのオスコネクタージャック部。
４はコードパーツ。５は機器と接続する為のコネクタージャック部【０００７】  本考案の一実施例は上述の如き構成からなるものであるから、携帯電話機や小型音楽視聴機に接続して聴くためのイヤーヘッドホンにおいて、各パーツ部を付け替え可能とする事で、パーツごとに様々なカラーやデザイン、機能を選ぶ事が出来、オリジナル性の高い自分好みのイヤーヘッドホンが作れる。【０００８】  以上、詳細の本考案による付け替えパーツ式イヤーヘッドホンの実施の形態を説明したが、ここで説明した実施の形態は本考案を説明するものであって、本考案は必ずしもこれに限定されるものではなく、本考案の精神を逸脱することなく当業者が可能な変形または修正は本考案の範疇に含まれる。
【考案の効果】
【０００９】  上述の様に、本考案の付け替えパーツ式イヤーヘッドホンは各パーツ部を付け替え式としているので、イヤホン部、コード部などが各個人の好みによりカラー、デザイン、機能を選択することが可能であり、よりオリジナル性に優れている。また各パーツが破損してもその部分だけの購入でいいので、安価に修復が可能であり、利便性、経済性も優れている。
【図面の簡単な説明】
【００１０】
【図１】本考案の正面図である。
【符号の説明】
【００１１】１  イヤホン部
２  イヤホン一体型メスコネクタージャック
３  コードパーツのオスコネクタージャック
４  コードパーツ
５  機器接続の為のコネクタージャック
【図１】
0003154506.tif 000003
(57)【要約】【課題】  簡単に表示情報の変更ができる工事用看板を提供する。【解決手段】  本考案に於いては、道路工事等に用いる工事用看板であって、異なる工事情報等が書かれた複数個のマグネットシート製文字板１と、該文字板１が取り付けられる表示板２とから成り、複数個の該文字板１の中から必要に応じた文字板を選択して該表示板２に磁着させて取り付けし工事情報の表示とすることを特徴とした。【選択図】図１
0003154508.tif 000002
【実用新案登録請求の範囲】
【請求項１】
道路工事等に用いる工事用看板であって、異なる工事情報等が書かれた複数個のマグネットシート製文字板と、該文字板が取り付けられる表示板とから成り、複数個の該文字板の中から必要に応じた文字板を選択して該表示板に磁着させて取り付けし工事情報の表示とすることを特徴とする工事用看板。
【考案の詳細な説明】
【技術分野】
【０００１】  本考案は、道路工事等に用いる工事用看板に関するものである。
【背景技術】
【０００２】  従来より、道路工事等においては、歩行者や通行車輌等への注意喚起や安全確保を目的として、作業現場に都度適切な工事情報を表示した工事用看板を設置するよう努めている。
【考案の概要】
【考案が解決しようとする課題】
【０００３】  しかしながら、実際の現場においては、取り替え等作業に手間がかかることなどの理由から、必ずしも適切な工事情報が工事用看板に表示されているとは限らず、表示が適切でない場合がある等の問題点を有していた。【０００４】  本考案は、上記従来有する問題点に鑑み、簡単に表示情報の変更ができる工事用看板を提供しようとするものである。
【課題を解決するための手段】
【０００５】  本考案に於いては、道路工事等に用いる工事用看板であって、異なる工事情報等が書かれた複数個のマグネットシート製文字板１と、該文字板１が取り付けられる表示板２とから成り、複数個の該文字板１の中から必要に応じた文字板を選択して該表示板２に磁着させて取り付けし工事情報の表示とすることを特徴とした。
【考案の効果】
【０００６】  本考案によれば、看板本体を取り替えることなく簡単に表示情報の変更ができることから、実施中の工事情報等を素早く容易に変更することが可能である。
【図面の簡単な説明】
【０００７】
【図１】  本考案における工事用看板の特徴を示した正面図である。
【考案を実施するための形態】
【０００８】  以下、本考案の実施の形態について、図面を参照して説明する。
図１に示すように、本考案に於いては、道路工事等に用いる工事用看板であって、異なる工事情報等が書かれた複数個のマグネットシート製文字板１と、該文字板１が取り付けられる表示板２とから成り、複数個の該文字板１の中から必要に応じた文字板を選択して該表示板２に磁着させて取り付けし工事情報の表示とすることを特徴とした。
【符号の説明】
【０００９】１    文字板
２    表示板
【図１】
0003154508.tif 000003
(57)【要約】【課題】スプーンにすりきりレバーを回動自在に取り付け、片手の指先ですりきり操作が簡単にできる。すりきりレバー付スプーを提供する。【解決手段】開口部を有するコーン状の計量スプーン本体と、同計量スプーン本体に一体化した取っ手部と、同取っ手部の中途に穿設された軸穴と、同軸穴にピンを介して回動自在に取り付けたすりきり部材と、同すりきり部材の一端が前記計量スプーン本体の開口部に当接して搖動するすりきり部とからなることを特徴とするすりきりレバー付スプーン。【選択図】図１
0003154503.tif 000002
【実用新案登録請求の範囲】
【請求項１】
開口部を有するコーン状の計量スプーン本体と、同計量スプーン本体に一体化した取っ手部と、同取っ手部の中途に穿設された軸穴と、同軸穴にピンを介して回動自在に取り付けたすりきり部材と、同すりきり部材の一端が前記計量スプーン本体の開口部に当接して搖動するすりきり部とからなることを特徴とするすりきりレバー付スプーン。
【考案の詳細な説明】
【技術分野】
【０００１】本考案はスプーンに、すりきりレバーを回動自在に取り付けた、すりきりレバー付スプーンに関するものである。
【背景技術】
【０００２】従来、スプーンをすりきりで使用する場合は両手使わなければならなかった。
【考案の概要】
【考案が解決しようとする課題】
【０００３】そのために次のような問題があった。
（イ）すりきり１杯の場合、片方の手に容器を持ち内容物をスプーンですくい、その容器を一旦置いてその手にすりきり用具を持って、スプーンに盛り上がっている内容物を、すり落としていた。
（ロ）内容物の入った容器が固定している場合でも、両手を使用しなければ、すりきりの作業をすることは出来ない。
【課題を解決するための手段】
【０００４】開口部を有するコーン状の計量スプーン本体と、同計量スプーン本体に一体化した取っ手部と、同取っ手部の中途に穿設された軸穴と、同軸穴にピンを介して回動自在に取り付けたすりきり部材と、同すりきり部材の一端が前記計量スプーン本体の開口部に当接して搖動するすりきり部とからなることを特徴とするするきりレバー付スプーン。
【考案の効果】
【０００５】スプーン４上の内容物をすりきりにする場合、レバー１０の操作部３を左右に回動させることにより、すりきり板１がスプーン４上を左右に動き、盛り上がった内容物を簡単にすり落とすことが出来る。この操作は両手を使う必要はなく片手は容器を持ち片手の指先で操作が可能である。
【図面の簡単な説明】
【０００６】
【図１】本考案の斜視図
【図２】本考案の側面図
【図３】本考案の実施例を示す斜視図
【考案を実施するための形態】
【０００７】以下、本考案の実施の形態について説明する
（イ）レバー１０の一方の端部にすりきり板１を設け、スプーン４の取り手部５の中央部に支点ピン２を設ける、レバー１０の他方の端部に操作部３を設ける。
（ロ）すりきり板１は、すりきった場合内容物がすりきり板１の上に残らないように、縦型に構成した。
（ハ）スプーンですくった内容物を、すりきる場合片方の手でスプーン４を持ってすくい、他方の手にすりきり用具を持ってすりきる。即ち一つの作業に両手が必要だったが、本考案では片手ですりきり作業が可能であり両手を使う必要がない。
【符号の説明】
【０００８】  １  すりきり板
２  支点ピン
３  操作部
４  スプーン
５  取手部
１０  レバー
【図１】
0003154503.tif 000003
【図２】
0003154503.tif 000004
【図３】
0003154503.tif 000005
(57)【要約】      （修正有）【課題】頭皮をソフトにマッサージすることができるヘアブラシを提供する。【解決手段】弾性体にピンをはめこんで構成されるブラシに植設孔をもつピンを提供し、やわらかいブリッスルをピンとして植設することで、当該ブリッスルにより頭皮をソフトにマッサージすることができる。【選択図】図２
0003154510.tif 000002
【実用新案登録請求の範囲】
【請求項１】
弾性体にピンをはめこんで構成されるブラシに使用する、植設孔をもつブラシのピン
【考案の詳細な説明】
【技術分野】
【０００１】本考案は頭皮をマッサージするヘアブラシに関するものである。
【背景技術】
【０００２】従来の頭皮をマッサージするヘアブラシは〔図１〕のように、弾性体にピンをはめこんで構成されるブラシがある。
【考案の開示】
【考案が解決しようとする課題】
【０００３】従来の頭皮をマッサージするブラシ〔図１〕のピンは金属、合成樹脂、木、竹で一体でできており、弾性に乏しく、頭皮にあたって痛いことがある。
【課題を解決するための手段】
【０００４】〔図２〕が側面図で〔図３〕が平面図であらわされる植設孔のあるピンを提供する。
【考案の効果】
【０００５】〔図４〕のように本考案の〔図２〕のピンに、やわらかいブリッスルを植設することにより、〔図１〕の従来のピンに比べ、頭皮をソフトにマッサージすることができる。
【実施例】
【０００６】〔図４〕のように〔図２〕、〔図３〕の植設孔にやわらかいブリッスルを植設することができる。
【産業上の利用可能性】
【０００７】従来のピン〔図１〕に比べて、より頭皮をソフトにマッサージすることができるブラシを提供することができる。
【図面の簡単な説明】
【０００８】
【図１】従来の頭皮をマッサージするブラシのピン
【図２】本考案の植設孔のあるピンの側面図
【図３】本考案の植設孔のあるピンの平面図
【図４】本考案のピンにブリッスルを植設したもの
【図１】
0003154510.tif 000003
【図２】
0003154510.tif 000004
【図３】
0003154510.tif 000005
【図４】
0003154510.tif 000006
(57)【要約】      （修正有）【課題】凹凸のある立体的なピースを適合するように正しく組み合わせ、容器に収納するという嵌め込み立体パズルを提供する。【解決手段】従来の立体パズルのピースに顔あるいは手足をつける事で、ピース一つ一つに表情を付けて、よりユーモラスな立体パズルになった。動物や人間を象ったプラスチック製の立体ピースを６から１２個程度、適合するように正しく組み合わせ、容器の淵から上に出さずにぴったりと収納することで完成する。【選択図】図３
0003154430.tif 000002
【実用新案登録請求の範囲】
【請求項１】
一つ一つのピースが、それぞれ、顔あるいは手足、もしくはその両方のついた立体的な人形であり、それらのピース同士の凹凸を、適合する様に正しく組み合わせ、すべてのピースをはみ出すことなく、容器の中に入れ込むことを完成目的とした立体パズル。
【請求項２】
一つ一つのピースが、それぞれ、顔あるいは手足、もしくはその両方のついた立体的な人形であり、それらのピース同士の凹凸を、適合する様に正しく組み合わせ、すべてのピースを容器の中に入れ込むことを完成目的とした立体パズル。  完成した際、ピースの下部は、容器にぴったりと収納されるが、ピースの上部は容器の淵から外側に出ている形状をとる立体パズル。
【考案の詳細な説明】
【技術分野】
【０００１】  本考案は、凹凸のある立体的なピースを適合するように正しく組み合わせ、容器に収納するという嵌め込み立体パズルに関するものである。
【背景技術】
【０００２】  凹凸のある立体的なピース同士を適合するように正しく組み合わせ、ガラスなどの容器にぴったりと嵌め込む事を完成目的とした立体パズルが市場に存在する。  そのピースの種類には、枝豆、梅干、せんべいなどがある。
【先行技術文献】
【特許文献】
【０００３】
【特許文献１】  実願平１−１４２８００
【特許文献２】  実開平０３−０８０７８４
【非特許文献】
【０００４】
【非特許文献１】（株）ビバリー  カタログ２００８年「グラスパズル」シリーズ
【考案の概要】
【考案が解決しようとする課題】
【０００５】  従来のような立体パズルでは、ピースの一つ一つに表情が無く、無機質であった。  また、完成した後にキャラクターが出来上がる物しかなかった。
【課題を解決するための手段】
【０００６】ピース一つ一つに顔や手足を造作、もしくは印刷することで、それぞれのピースを人形とし、表情を持たせた。
【考案の効果】
【０００７】ピース一つ一つに表情が生まれ、ユーモラスな立体パズルになった。完成させる面白みが上がり、更には、鑑賞する満足度も上がった。
【図面の簡単な説明】
【０００８】
【図１】ひよこの形状をした立体パズルのピースを一つ一つばらした正面図。
【図２】ひよこの形状をした立体パズルのピースを適合するように正しく組み合わせた斜視図。
【図３】すべての立体パズルのピースを容器に収納した斜視図。
【図４】人の形状をした立体パズルのピースを一つ一つばらした斜視図。
【図５】人の形状をした立体パズルのピースを一つ一つばらして真裏からみた図。
【図６】すべての立体パズルのピースを容器に収納した斜視図。
【考案を実施するための形態】
【０００９】  動物や人間を象ったプラスチック製の立体ピースを６から１２個程度、適合するように正しく組み合わせ、容器の淵から上に出さずにぴったりと収納することで完成するパズル形態。
【図１】
から
【図３】
参照。
もしくは、同様のピースの下半身の部分を適合するように正しく組み合わせ、下半身の部分のみ容器にぴったりと収納する。  その際、ピースの上半身は、容器の淵からはみ出した形状をしたパズル形態。
【図４】
から
【図６】
参照。
【実施例】
【００１０】以下、添付図面に従って、二つの実例を説明する。
実例１
図１の様な、ひよこの形状をしたピース１、２、３、４、５、６を、図２の様にそれぞれの凹凸を適合するようにピース同士を正しく組み合わせ、図３の様にピースが、容器７にぴったりと収納することを目的とした立体パズル。
実例２
図４のような人の形状をしたピース８、９、１０、１１、１２、１３は、真裏からみると、図５のようにそれぞれ凹凸がある。  それらの凹凸を適合するようにピース同士を正しく組み合わせ、図６のように容器１４に収納する。  その際、それぞれのピースの下半身は、容器１４の淵から上に出ずに、ぴったりと収納されているが、ピースの上半身は容器１４の淵から上に出ている形状をしている立体パズル。
【産業上の利用可能性】
【００１１】同様の仕組みをした立体パズルのキャラクター商品が数多く市場に出回り、立体パズル売場の活性化に繋がる。
【符号の説明】
【００１２】１  ひよこの形状をした立体パズルのピース
２  ひよこの形状をした立体パズルのピース
３  ひよこの形状をした立体パズルのピース
４  ひよこの形状をした立体パズルのピース
５  ひよこの形状をした立体パズルのピース
６  ひよこの形状をした立体パズルのピース
７  パズルを収納する容器
８  人の形状をした立体パズルのピース
９  人の形状をした立体パズルのピース
１０  人の形状をした立体パズルのピース
１１  人の形状をした立体パズルのピース
１２  人の形状をした立体パズルのピース
１３  人の形状をした立体パズルのピース
１４  パズルを収納する容器
【図１】
0003154430.tif 000003
【図２】
0003154430.tif 000004
【図３】
0003154430.tif 000005
【図４】
0003154430.tif 000006
【図５】
0003154430.tif 000007
【図６】
0003154430.tif 000008
【手続補正書】
【提出日】平成21年6月4日(2009.6.4)
【手続補正１】
【補正対象書類名】実用新案登録請求の範囲
【補正対象項目名】請求項２
【補正方法】変更
【補正の内容】
【請求項２】
一つ一つのピースが、それぞれ、顔あるいは手足、もしくはその両方のついた立体的な人形であり、それらのピース同士の凹凸を、適合する様に正しく組み合わせ、すべてのピースを容器の中に入れ込むことを完成目的とした立体パズルにおいて、完成した際、ピースの下部は、容器にぴったりと収納されるが、ピースの上部は容器の淵から外側に出ている形状をとる立体パズル。
(57)【要約】      （修正有）【課題】着用時にヒップが美しく、脚も長く見える様に形成したスラックスを提供する。【解決手段】ウエストとヒップの境目にポケット１０を作り、着用時にシルエットを崩すことなく又動きも妨げることなくポケットに物を入れても今までよりもポケットがウエスト近くになり着座した時、物がヒップの下にあたることなく型崩れが起きにくいようにスラックスのポケット位置を調整する。【選択図】図１
0003154423.tif 000002
【実用新案登録請求の範囲】
【請求項１】
スラックスの後ろポケットを今まではヒップに作っていたのを腰の部分に作る。
【考案の詳細な説明】
【技術分野】
【０００１】この考案は、ヒップが美しく、脚が長く見えるポケット作りに関する。
【背景技術】
【０００２】ヒップ上に作られていたポケットをウエストベルトとヒップとの縫い目上にポケットを作ることによりヒップ全体が美しく見えまたポケットの位置が高くなり脚が長く見える。
【考案が解決しようとする課題】
【０００３】今までのスラックスはすべてヒップ上にポケットが作られヒップの高さでポケットの口が開きヒップが下がって見えるため美しいヒップラインが作れなかった。
【考案の効果】
【０００４】着用時にシルエットを崩すことなく又動きも妨げることもなくポケットに物を入れても今までよりもウエスト近くになり着席した時、物がヒップの下に当たることなく型崩れがしません。
【図面の簡単な説明】
【０００５】
【図１】考案のヒップポケット。
【図２】今までのヒップポケット。
【図３】考案のヒップポケット裏側。
【図４】今までのヒップポケット裏側。
【符号の説明】
【０００６】１０  ポケット
１１  ウエストベルト
１２  釦
１３  ループ
１４  腰裏
１５  ポケット袋
【図１】
0003154423.tif 000003
【図２】
0003154423.tif 000004
【図３】
0003154423.tif 000005
【図４】
0003154423.tif 000006
【手続補正書】
【提出日】平成20年11月19日(2008.11.19)
【手続補正１】
【補正対象書類名】実用新案登録請求の範囲
【補正対象項目名】全文
【補正方法】変更
【補正の内容】
【実用新案登録請求の範囲】
【請求項１】
ヒップを美しくかつ脚が長く見えることを特徴とするスラックスの後ろポケット。
【手続補正書】
【提出日】平成21年2月23日(2009.2.23)
【手続補正１】
【補正対象書類名】実用新案登録請求の範囲
【補正対象項目名】全文
【補正方法】変更
【補正の内容】
【実用新案登録請求の範囲】
【請求項１】
ヒップを美しくかつ脚が長く見えることを特徴とするスラックスの後ろポケット。
【手続補正２】
【補正対象書類名】明細書
【補正対象項目名】全文
【補正方法】変更
【補正の内容】
【考案の詳細な説明】
【技術分野】
【０００１】この考案は、スラックスのヒップが美しく、脚が長く見えるポケット作りに関する。
【背景技術】
【０００２】ヒップ上に作られていたポケットをウエストとヒップとの境目にポケットを作ることによりヒップ全体が美しく見えまたポケットの位置が高くなり脚が長く見える。
【考案が解決しようとする課題】
【０００３】今までのスラックスはすべてヒップ上にポケットが作られていた為にヒップのふくらみによる高さでポケットの口が開きヒップが垂れ下がって見えるため美しいヒップラインが作れなかった。
【考案の効果】
【０００４】ウエストとヒップの境目にポケットが作られているため着用時にシルエットを崩すことなく又動きも妨げることなくポケットに物を入れても今までよりもポケットがウエスト近くになり着座した時、物がヒップの下にあたることなく型崩れが起きにくい。
【図面の簡単な説明】
【０００５】
【図１】考案のヒップポケット後ろ姿
【図２】今までのヒップポケット後ろ姿
【図３】考案のヒップポケット拡大図
【符号の説明】
【０００６】１０  ポケット
１１  ウエストベルト
１２  ダーツ
１３  釦
１４  ポケット袋止め
１５  ウエストとヒップとの縫い目
１６  尻縫い目
【手続補正３】
【補正対象書類名】図面
【補正対象項目名】全図
【補正方法】変更
【補正の内容】
【図１】
0003154423.tif 000007
【図２】
0003154423.tif 000008
【図３】
0003154423.tif 000009
【手続補正書】
【提出日】平成21年5月26日(2009.5.26)
【手続補正１】
【補正対象書類名】実用新案登録請求の範囲
【補正対象項目名】全文
【補正方法】変更
【補正の内容】
【実用新案登録請求の範囲】
【請求項１】
スラックスの後ろポケットをウエストとヒップとの縫い目上に作成した構造。
【手続補正書】
【提出日】平成21年7月17日(2009.7.17)
【手続補正１】
【補正対象書類名】実用新案登録請求の範囲
【補正対象項目名】全文
【補正方法】変更
【補正の内容】
【実用新案登録請求の範囲】
【請求項１】
スラックスの後ろポケットをウエストとヒップとの縫い目上に作成したことを特徴とするスラックス。
(57)【要約】      （修正有）【課題】ボールを自動でティーアップさせる自重式ティーアップ機を提供する。【解決手段】球の排出部とティーからなる。ティーは、一方が球を乗せる部分に、他方が球の排出部の開閉を制御するレバーに接続されている。【選択図】図１
0003154426.tif 000002
【実用新案登録請求の範囲】
【請求項１】
自動ゴルフティーアップ機
球の自重による力のみで自動的連続的にティーアップするゴルフ練習機具である。
【請求項２】
手動によるゴルフティーアップ機
手動でバーを動かし、ワンタッチでボールをティーアップするゴルフ練習機具である。
【請求項３】
手動のティーバッティング機
野球のティーバッティングのティー上にワンタッチでボールを乗せる練習機具である。
【請求項４】
パター練習時にゴルフボールを収納し、配出する練習機具である。
【考案の詳細な説明】
0003154426.tif 000003
0003154426.tif 000004
0003154426.tif 000005
0003154426.tif 000006
0003154426.tif 000007
0003154426.tif 000008
0003154426.tif 000009
0003154426.tif 000010
0003154426.tif 000011
0003154426.tif 000012
0003154426.tif 000013
【手続補正書】
【提出日】平成21年6月10日(2009.6.10)
【手続補正１】
【補正対象書類名】実用新案登録請求の範囲
【補正対象項目名】全文
【補正方法】変更
【補正の内容】
【実用新案登録請求の範囲】
【請求項１】
ゴルフ練習機具であって、球の排出部とティーの二つの部分から構成され、前記ティーの部分は一方が球を乗せる部分と他方が球の排出部の開閉を制御するレバーと接続されている自重式自動ティーアップ機。
【手続補正２】
【補正対象書類名】明細書
【補正対象項目名】全文
【補正方法】変更
【補正の内容】
【考案の詳細な説明】
【技術分野】
【０００１】本考案はゴルフ練習機のティーアップに関する。
【背景技術】
【０００２】従来の機具は電力を動力としていた。
【考案の概要】
【考案が解決しようとする課題】
【０００３】しかし、これでは電源の遠い庭では容易に使用できない。
【課題を解決するための手段】
【０００４】そこでボールの重量を利用する方法を考案した。ボールの重さは約５０グラムであるが、梃子の原理を使えば、これを数倍に増幅でき、位置エネルギーとしてティーアップの力とする。
【考案の効果】
【０００５】ボールを手動ではなく自動でティーアップさせる。
【考案を実施するための最良の形態】
【０００６】本考案に係る機具は［図１、２］に示すように球の排出部と球を乗せるティーの部分の２ヶ所により構成される。球の排出装置は、ゴルフボールが丁度入る塩化ビニール管を利用している。［図１］のように、切れ目を入れ、それぞれの部を曲げて起こし、各部分を作っている。ボールの制御弁は別に作製する。レバーの部分も別に製作する。７の部分は輪ゴムの適度の力で締めている。ティーの上にボールが乗っている状態では出口は閉じているが、ティー上のボールが打たれなくなれば梃子の反対側が上昇し、ボールの排出口が開けられてボールが出て来るようになっている。ティーは柔らかいラバーで製作し、ボールが乗り易いように［図１］のように４本から６本程度の突起を植立させる。
【図面の簡単な説明】
【０００７】
0003154426.tif 000014
【図６】本考案機具の使用図である。
【符号の説明】
【０００８】  １  ボールの排出口
２  ボールの落下口
３  ティー
４  梃子の末端
５  レバーとの連結部
６  レバー
７  輪ゴム
【手続補正３】
【補正対象書類名】図面
【補正対象項目名】全図
【補正方法】変更
【補正の内容】
【図１】
0003154426.tif 000015
【図２】
0003154426.tif 000016
【図３】
0003154426.tif 000017
【図４】
0003154426.tif 000018
【図５】
0003154426.tif 000019
【図６】
0003154426.tif 000020
【手続補正書】
【提出日】平成21年8月18日(2009.8.18)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】本考案はゴルフ練習機のティーアップに関する。
【背景技術】
【０００２】従来の機具は電力を動力としていた。
【考案の概要】
【考案が解決しようとする課題】
【０００３】しかし、これでは電源の遠い庭では容易に使用できない。
【課題を解決するための手段】
【０００４】そこでボールの重力を利用する方法を考案した。ボールの重さは約５０グラムであるが、梃子の原理を使えば、これを数倍に増幅でき、位置エネルギーとしてティーアップの力とする。
【考案の効果】
【０００５】ボールを手動ではなく自動でティーアップさせる。
【考案を実施するための最良の形態】
【０００６】本考案に係る機具は［図１、２］に示すように球の排出部と球を乗せるティーの部分の２ヶ所により構成される。球の排出装置は、ゴルフボールが丁度入る塩化ビニール管を利用している。［図１］のように、切れ目を入れ、それぞれの部を曲げて起こし、各部分を作っている。ボールの制御弁は別に作製する。レバーの部分も別に製作する。７の部分は輪ゴムの適度の力で締めている。ティーの上にボールが乗っている状態では出口は閉じているが、ティー上のボールが打たれなくなれば梃子の反対側が上昇し、ボールの排出口が開けられてボールが出て来るようになっている。ティーは柔らかいラバーで製作し、ボールが乗り易いように［図１］のように４本から６本程度の突起を植立させる。
【図面の簡単な説明】
【０００７】
【図１】本考案に係る機具の全体図である。
【図２】本考案に係る機具の側面図である。
【図３】本考案に係る機具のボール排出装置のボールの静止状態の断面図である。
【図４】本考案に係る機具のボール排出装置の弁の開放状態でボールを前進させた状態の断面図である。
【図５】本考案に係る機具のボール排出装置でボールを排出させ元の静止状態に戻った状態の断面図である。
【図６】本考案機具の使用図である。
【符号の説明】
【０００８】１、ボールの排出口
２、ボールの落下口
３、ティー
４、梃子の末端
５、レバーとの連結部
６、レバー
７、輪ゴム
(57)【要約】      （修正有）【課題】液体の放射、噴射、反射、その他の原因による液体飛散に伴う周辺の汚損を防止する液体飛散防止板を提供する。【解決手段】枠１または支柱３に案内部２を複数上下に設置し、案内部と案内部の間に飛散液体を通過させる。【選択図】図１
0003154428.tif 000002
【実用新案登録請求の範囲】
【請求項１】
支柱または枠と、該支柱または枠に設けられた案内部からなる液体飛散防止板であって、当射された液体を該案内部が一方向へ誘導することを特徴とする液体飛散防止板。
【請求項２】
前記案内部が、複数上下に配列されていることを特徴とする、請求項１記載の液体飛散防止板。
【考案の詳細な説明】
【技術分野】
【０００１】本考案は液体の飛散を防止する液体飛散防止板に関する。
【背景技術】
【０００２】液体を利用した作業に際しては、当該液体が周辺部に飛散し、周辺部を汚損させないための対策が欠かせない。【０００３】液体の塗料を霧化し目的物に噴射する吹きつけ塗装では、周辺への塗料の飛散から周辺物を保護するため、周辺物をビニールシートなどで被い養生を行っている。【０００４】放水、薬剤散布では、周辺物を避難させるか周辺物のない場所で行っている。【０００５】壁面にはね返った液体の、周辺への飛散を避けるため、当該壁面にスポンジなど液体の反発をやわらげる素材を取りつけている。【０００６】男子小便器壁面ではね返った尿による周辺部の汚損防止のため、次の特許文献１に記載した小便器用尿飛散防止具が開示されている。【０００７】
【特許文献１】特開２００６−９４４４
【考案の開示】
【考案の解決しようとする課題】
【０００８】前記、背景技術に記載した、液体の飛散から周辺を保護するための技術は、いずれも液体の飛散を前提として、その被害を緩和、解消するものだが、飛散自体を消すわけでなく、想定外域での損失を避けることはできない。また、吹付け塗装では養生用のポリエチレンが大量の廃棄物になっている。
【課題を解決するための手段】
【０００９】本考案の液体飛散防止液は支柱または枠と、該支柱または枠に設置する案内部からなり、当射された液体を複数上下に配列された案内部と案内部の間を通過させることにより、案内部の形状に従い誘導、落下せしめることで、液体の飛散自体を解消し、飛散した液体を廃棄、捕集する。
【考案の効果】
【００１０】吹付け塗装など液体を噴射して利用する場合、作業者の周囲を本考案の液体飛散防止板で囲う、もしくは特に液体の付着が問題となる場所を本考案の液体飛散防止板で遮蔽することによって、養生にかかる労力と資材を削減でき、作業効率をあげ、資源保護と作業者の衛生、安全に資する。
【００１１】特定の物の液体の飛散による汚損を防止するために、その特定の物を本考案の液体飛散防止板で遮蔽することにより、簡易に汚損を防止できる。
【００１２】本考案の液体飛散防止板は、霧化、飛沫化した液体を元の液状に戻して回収することを可能にするので、廃棄、再利用を簡便化する。
【００１３】男子用便器の尿が当る部分に本考案の液体飛散防止板を設置することにより、尿を反射させず、便器底部に誘導し、衛生的で快適な男子用便器を提供するとともに、洗浄用の流水を減少させ、水資源保護に資する。
【００１４】ビニールプールなど水を使った遊具を利用する際には、本考案の液体飛散防止板で、周囲を囲むことにより、屋内やべランダで周囲を濡らすことのない利用を実現する。
【００１５】以下、本考案の実施の形態を図１〜図４に基づいて説明する。
【００１６】図１は枠と案内部が一体となった本考案の液体飛散防止の斜視図である。（イ）は当射された液体を下方または斜め後方に誘導する面で（ロ）は当射された液体を受ける面である。
【００１７】図１の本考案の液体飛散防止板は男子用便器に設置する場合などに適した小型のもので、案内部を小さくし、枚数を増やすことにより、より薄い形状にできる。
【００１８】図２は支柱に案内部を取り付けた、本考案の液体飛散防止板の斜視図である。
【００１９】図２の本考案の液体飛散防止板は、吹付け塗装などに利用する大型のものである。支柱と案内部は容易に脱着できるもので、案内部の洗浄が容易にできる。台部からの支柱の脱着も容易で、収納、運搬が簡便にできる。
【００２０】図２の本考案の液体飛散防止板は、台部の下にキャスターを取り付けることにより、組み立て時の移動が容易にできる。支柱は継ぎ足しのできるものを使い、高さを調節し、支柱の本数も大きさによって加減させる。
【００２１】図２の本考案の液体飛散防止板は、液体の落下部に受け皿を設置することにより液体を回収する。
【００２２】図３は案内部の一枚で（イ）は本考案の液体飛散防止板の液体を受ける側で（ロ）は液体が上をすべり落ちる側である。
【００２３】図４の（イ）は、枠または支柱に複数上下に設置された案内部の側面図で、（ロ）は液体が案内部によって誘導される様子を示している。案内部は用途により様々な形状が与えられるが、上方の案内部の後辺は下方の案内部の前辺より下方にくるように設置されなければならない。
【図面の簡単な説明】
【００２４】
【図１】は、枠と案内部が一体になった、本考案の液体飛散防止板の斜視図で（イ）は液体を下方に誘導する側で（ロ）は液体を受ける側である。
【図２】は、支柱に取り外しのできる案内部を取り付けた、本考案の液体飛散防止板の斜視図である。
【図３】は、案内部の斜視図で（イ）は液体を受ける側で（ロ）は液体を誘導する側である。
【図４】は、複数上下に設置された案内部の側面図で（イ）は液体が通らないとき、（ロ）は通過時の液体の動きを矢印で示したもの、（ハ）は、より簡易な案内部の側面図である。
【符号の説明】
【００２５】１  枠
２  案内部
３  支柱
４  案内部取り付け用の台部
【図１】
0003154428.tif 000003
【図２】
0003154428.tif 000004
【図３】
0003154428.tif 000005
【図４】
0003154428.tif 000006
【手続補正書】
【提出日】平成21年7月10日(2009.7.10)
【手続補正１】
【補正対象書類名】実用新案登録請求の範囲
【補正対象項目名】全文
【補正方法】変更
【補正の内容】
【実用新案登録請求の範囲】
【請求項１】
支柱または枠と、該支柱または枠に設けられると共に、当射された液体を一方向に誘導する案内部とで成したことを特徴とした液体飛散防止板。
【請求項２】
前記案内部が、複数上下に配列されていることを特徴とする請求項１記載の液体飛散防止板。